(57)【要約】【課題】  帯結びに慣れていない一般の人でも、容易かつ手軽に帯結びをすることができる浴衣帯を提供する。【解決手段】  長尺の帯本体１と、帯本体１に一端を上方から係止して帯本体１を蝶結びした状態の結び目を後方から巻き上げて結び目を被覆する略帯状の被覆部材２と、から成る。被覆部材２が、帯本体１に係止する係止用折曲片部と、結び目を被覆する被覆部４と、帯本体１の内面側に挟み込んで被覆部４が結び目を被覆した形状を保持するための差込部を、順に有し、さらに、係止用折曲片部が帯本体１から抜けるのを防止するための芯材を有する。帯本体１が、その両端の短辺１ａに、縁飾り７を有する。【選択図】  図１
0003108421.tif 000002
【実用新案登録請求の範囲】
【請求項１】
長尺の帯本体（１）と、該帯本体（１）に一端（２ａ）を上方から係止して該帯本体（１）を蝶結びした状態の結び目（Ｍ）を後方から巻き上げて該結び目（Ｍ）を被覆する略帯状の被覆部材（２）と、から成ることを特徴とする浴衣帯。
【請求項２】
長尺の帯本体（１）と、該帯本体（１）に一端（２ａ）を上方から係止して該帯本体（１）を蝶結びした状態の結び目（Ｍ）を後方から巻き上げて該結び目（Ｍ）を被覆する略帯状の被覆部材（２）と、から成り、
上記被覆部材（２）が、上記帯本体（１）に係止する係止用折曲片部（３）と、上記結び目（Ｍ）を被覆する被覆部（４）と、上記帯本体（１）の内面（Ｎ）側に挟み込んで上記被覆部（４）が上記結び目（Ｍ）を被覆した形状を保持するための差込部（５）を、順に有し、さらに、上記係止用折曲片部（３）が上記帯本体（１）から抜けるのを防止するための芯材（６）を有することを特徴とする浴衣帯。
【請求項３】
長尺の帯本体（１）と、該帯本体（１）に一端（２ａ）を上方から係止して該帯本体（１）を蝶結びした状態の結び目（Ｍ）を後方から巻き上げて該結び目（Ｍ）を被覆する略帯状の被覆部材（２）と、から成り、
上記被覆部材（２）が、上記帯本体（１）に係止する係止用折曲片部（３）と、上記結び目（Ｍ）を被覆する被覆部（４）と、上記帯本体（１）の内面（Ｎ）側に挟み込んで上記被覆部（４）が上記結び目（Ｍ）を被覆した形状を保持するための差込部（５）を、順に有し、さらに、上記係止用折曲片部（３）が上記帯本体（１）から抜けるのを防止するための芯材（６）を有し、
上記帯本体（１）が、その両端の短辺（１ａ）に、縁飾り（７）を有することを特徴とする浴衣帯。
【考案の詳細な説明】
【技術分野】
【０００１】
本考案は、浴衣帯に関する。
【背景技術】
【０００２】
近年、夏祭や花火大会などに浴衣を着る人が増えている。特に、一般の若い人が自分で着付けをして着用することが多くなった。
【０００３】
しかし、帯をしめることに慣れていない人にとっては、帯結びに予想外に手間どったり、帯をしめるのが難しく感じられるという欠点があった。
【考案の開示】
【考案が解決しようとする課題】
【０００４】
解決しようとする課題は、帯をしめ慣れていない人が、容易かつ手軽に帯結びをすることができない点である。
【課題を解決するための手段】
【０００５】
そこで、本考案に係る浴衣帯は、長尺の帯本体と、該帯本体に一端を上方から係止して該帯本体を蝶結びした状態の結び目を後方から巻き上げて該結び目を被覆する略帯状の被覆部材と、から成るものである。
また、長尺の帯本体と、該帯本体に一端を上方から係止して該帯本体を蝶結びした状態の結び目を後方から巻き上げて該結び目を被覆する略帯状の被覆部材と、から成り、上記被覆部材が、上記帯本体に係止する係止用折曲片部と、上記結び目を被覆する被覆部と、上記帯本体の内面側に挟み込んで上記被覆部が上記結び目を被覆した形状を保持するための差込部を、順に有し、さらに、上記係止用折曲片部が上記帯本体から抜けるのを防止するための芯材を有するものである。
また、長尺の帯本体と、該帯本体に一端を上方から係止して該帯本体を蝶結びした状態の結び目を後方から巻き上げて該結び目を被覆する略帯状の被覆部材と、から成り、上記被覆部材が、上記帯本体に係止する係止用折曲片部と、上記結び目を被覆する被覆部と、上記帯本体の内面側に挟み込んで上記被覆部が上記結び目を被覆した形状を保持するための差込部を、順に有し、さらに、上記係止用折曲片部が上記帯本体から抜けるのを防止するための芯材を有し、上記帯本体が、その両端の短辺に、縁飾りを有するものである。
【考案の効果】
【０００６】
本考案の浴衣帯によれば、帯結びに慣れていない一般の人でも、容易かつ手軽に帯結びをすることができる。
【考案を実施するための最良の形態】
【０００７】
図１は、本考案の実施の一形態の使用状態を示す。この浴衣帯は、外観上どのように結んだのか分からない形状に結ばれている。浴衣帯の具体的な結び方については、後述する。
浴衣帯は、長尺の帯本体１と、帯本体１に一端２ａ（図２参照）を上方から係止して帯本体１を蝶結びした状態の結び目Ｍ（図９参照）を後方から巻き上げて結び目Ｍを被覆する略帯状の被覆部材２と、から成る。
【０００８】
図２に示すように、被覆部材２は、帯本体１に係止する係止用折曲片部３と、結び目Ｍを被覆する被覆部４と、帯本体１の内面Ｎ側（身体Ｂ側；図10参照）に挟み込んで被覆部４が結び目Ｍを被覆した形状を保持するための差込部５を、順に有する。被覆部４は、前方凸状に弯曲している。被覆部材２は、係止用折曲片部３が帯本体１から離脱する（すなわち、帯本体１と身体Ｂとの間から抜ける）のを防止するための芯材６を有する。
【０００９】
被覆部材２の被覆部４の長さ寸法Ｌは、図10の２点鎖線に示すように、被覆部材２を巻き上げたときに、巻き上げ部Ｕの下部Ｕ1 が身体Ｂから図10の矢印Ａ方向に浮き上がるような長さに設定されている。被覆部材２の幅寸法Ｗ2 （図６参照）は、帯本体１の幅寸法Ｗ1 （図３参照）の略半分に設定されている。
【００１０】
図１・図３に示すように、帯本体１は、その両端の短辺１ａに、縁飾り７を有する。縁飾り７は、例えば、ビーズ８やスパンコール９に糸10を挿通したものから成る。
【００１１】
次に、図４から図10に於て、上述の浴衣帯を結ぶ方法について説明する。              まず、図４・図５に示すように、帯本体１の「て先」（一端）11を幅寸法が半分になるように折り、腰Ｋの位置より上側に残しつつ、その他の部分を腰Ｋに２周弱巻き付ける。  その後、図６・図10に示すように、被覆部材２を、帯本体１に一端２ａ（係止用折曲片部３）を上方から係止させる。
続いて、図７〜図９に示すように、帯本体１を蝶結びする。
最後に、図９の矢印Ｘ、及び、図10の矢印Ｙ，矢印Ｚに示すように、被覆部材２にて、帯本体１を蝶結びした状態の結び目Ｍを後方から巻き上げて結び目Ｍを被覆する。そして、図１の状態となり、帯結びが完了する。
【００１２】
なお、図10に於て、下着、伊達締め等は、図示省略した。
本考案は、設計変更可能であって、例えば、縁飾り７がフリル状の布体やレース素材等から成るも良い。
【００１３】
以上のように、本考案は、長尺の帯本体１と、帯本体１に一端２ａを上方から係止して帯本体１を蝶結びした状態の結び目Ｍを後方から巻き上げて結び目Ｍを被覆する略帯状の被覆部材２と、から成るので、帯結びに慣れていない一般の人でも、容易かつ手軽に帯結びをすることができる。しかも、外観上１本の長尺の帯を結んだように見える。すなわち、被覆部４がて先のように見えて、どのように結んだか分からない。
【００１４】
また、長尺の帯本体１と、帯本体１に一端２ａを上方から係止して帯本体１を蝶結びした状態の結び目Ｍを後方から巻き上げて結び目Ｍを被覆する略帯状の被覆部材２と、から成り、被覆部材２が、帯本体１に係止する係止用折曲片部３と、結び目Ｍを被覆する被覆部４と、帯本体１の内面Ｎ側に挟み込んで被覆部４が結び目Ｍを被覆した形状を保持するための差込部５を、順に有し、さらに、係止用折曲片部３が帯本体１から抜けるのを防止するための芯材６を有するので、帯結びに慣れていない一般の人でも、容易かつ手軽に帯結びをすることができる。しかも、外観上１本の長尺の帯を結んだように見える。すなわち、被覆部４がて先のように見えて、どのように結んだか分からない。また、容易かつ確実に被覆部材２を帯本体１に取り付けることができる。
【００１５】
また、長尺の帯本体１と、帯本体１に一端２ａを上方から係止して帯本体１を蝶結びした状態の結び目Ｍを後方から巻き上げて結び目Ｍを被覆する略帯状の被覆部材２と、から成り、被覆部材２が、帯本体１に係止する係止用折曲片部３と、結び目Ｍを被覆する被覆部４と、帯本体１の内面Ｎ側に挟み込んで被覆部４が結び目Ｍを被覆した形状を保持するための差込部５を、順に有し、さらに、係止用折曲片部３が帯本体１から抜けるのを防止するための芯材６を有し、帯本体１が、その両端の短辺１ａに、縁飾り７を有するので、帯結びに慣れていない一般の人でも、容易かつ手軽に帯結びをすることができる。しかも、外観上１本の長尺の帯を結んだように見える。すなわち、被覆部４がて先のように見えて、どのように結んだか分からない。また、容易かつ確実に被覆部材２を帯本体１に取り付けることができる。さらに、外観上、縁飾り７が見えるので、かわいくおしゃれな印象を見る人に与えることができる。
【図面の簡単な説明】
【００１６】
【図１】本考案の実施の一形態の使用状態を示す背面図である。
【図２】被覆部材を示す断面側面図である。
【図３】帯本体の要部拡大正面図である。
【図４】説明用正面図である。
【図５】説明用正面図である。
【図６】説明用正面図である。
【図７】説明用正面図である。
【図８】説明用正面図である。
【図９】説明用正面図である。
【図１０】図６の要部拡大簡略断面側面図である。
【符号の説明】
【００１７】
１  帯本体
１ａ  両端の短辺
２  被覆部材
２ａ  一端
３  係止用折曲片部
４  被覆部
５  差込部
６  芯材
７  縁飾り
Ｍ  結び目
Ｎ  内面
【図１】
0003108421.tif 000003
【図２】
0003108421.tif 000004
【図３】
0003108421.tif 000005
【図４】
0003108421.tif 000006
【図５】
0003108421.tif 000007
【図６】
0003108421.tif 000008
【図７】
0003108421.tif 000009
【図８】
0003108421.tif 000010
【図９】
0003108421.tif 000011
【図１０】
0003108421.tif 000012